(57)【特許請求の範囲】
【請求項１】
通帳に印刷されたバーコードのイメージを取得するバーコード取得部と、通帳の磁気ストライプを読み取る磁気読取部とを有する自動取引装置における複数種類の通帳の読取方法であって、
予め設定された第１の通帳に適した処理モードにより、前記バーコード取得部で取得したバーコードイメージの認識及び前記磁気読取部による磁気ストライプの読み取りを試みる第１工程と、
前記第１工程で磁気ストライプを読み取れたときには、第１の通帳と判断してバーコードイメージの認識結果を用いて通帳の読取を処理する第２工程と、
前記第２工程で磁気ストライプを読み取れなかったときには、第２の通帳に適した処理モードにより、前記バーコード取得部で取得したバーコードイメージの認識を試みる第３工程と、
前記第３工程で、バーコードを認識できたときには、第２の通帳に適した処理モードにより、前記磁気読取部で、磁気ストライプを読み取る第４工程と、
を有することを特徴とする複数種類の通帳の読取方法。
【請求項２】
通帳を吸入する搬送部と、
通帳のバーコードのイメージを取得するバーコード取得部と、
通帳の磁気ストライプを読み取る磁気読取部と、
前記搬送部により通帳が吸入されると、前記バーコード取得部により取得したバーコードイメージの認識及び前記磁気読取部による磁気ストライプの読み取りを実行し、第１の通帳に対応した処理モードを用いて磁気ストライプの読み取りができるか否かを判断し、
読み取りができた場合には第１の通帳としてバーコードイメージの認識結果を用いて通帳の読取を処理し、
読み取りができなかった場合には第２の通帳に対応した処理モードを用いてバーコードのイメージを認識できるか否かを判断し、
認識できた場合には第２の通帳として通帳の読取を処理する制御部と、
を有することを特徴とする通帳取扱装置。
【請求項３】
請求項２記載の通帳取扱装置において、
前記制御部は、前記バーコード取得部により取得したバーコードイメージの認識及び前記磁気読取部による磁気ストライプの読み取りを同じタイミングで実行することを特徴とする通帳取扱装置。
【請求項４】
請求項２又は３記載の通帳取扱装置において、
前記制御部は、前記第１の通帳に対応した処理モードと前記第２の通帳に対応した処理モードの優先順位を記憶し、前記優先順位に従って処理モードを実行する順序を決定することを特徴とする通帳取扱装置。
【請求項５】
請求項２乃至４記載の通帳取扱装置において、
通帳の頁めくりを行うターン頁部を有し、
前記制御部は、前記バーコード取得部により取得したバーコードイメージの認識から得た頁番号と、前記磁気読取部による磁気ストライプの読み取りから得た頁番号と、を比較しそれらが異なる場合に、通帳を前記搬送部により前記ターン頁部へ送ることを特徴とする通帳取扱装置。
【発明の詳細な説明】
【０００１】
【発明の属する技術分野】
本発明は、銀行等の金融機関で使用される現金自動取引装置や通帳記帳機等の通帳を扱う自動取引装置、特に、その自動取引装置で複数種類の通帳を取り扱う方法に関する。
【０００２】
【従来の技術】
従来、自動取引装置で複数種類の通帳を取り扱う方法は、種々あった。以下に一例としてＡ方式からＥ方式を示す。
【０００３】
Ａ方式として、トラック数が異なる磁気ストライプに対して、それぞれのトラック位置に対応した位置に複数の読取ヘッドを設けて、複数銀行の磁気ストライプをリード／ライトする方法がある（特許文献１参照）。
【０００４】
Ｂ方式として、顧客が画面上で複数銀行のうちの一つを選択すると、選択された銀行のホスト（センタ）に接続し、挿入された通帳の磁気ストライプ上のデータを読み出し、接続したセンタに送信し、センタから送られてきたデータに従って通帳に印字およびデータ更新を行って、顧客に返却する方法がある（特許文献２参照）。
【０００５】
Ｃ方式として、銀行毎の種類の異なる磁気ストライプをリード／ライトする磁気ヘッドと、印字プリンタとを備え、通帳の磁気ストライプをリードできた銀行のセンタに対して、中継センターを介してリードデータを送信し、センタから返送されたデータに基づき通帳に印字する方法がある（特許文献３参照）。
【０００６】
Ｄ方式として、磁気ストライプの情報が読み取れない場合、ＯＣＲにより通帳に印刷されている顧客情報を認識してホストコンピュータに送り、ホストコンピュータで一致する情報が確認されたときには、返送されたデータに基づいて取引明細を印字し、顧客に返却する方法がある（特許文献４参照）。
【０００７】
Ｅ方式として、磁気ストライプが読み取れない場合には、カードを挿入してもらい、カードの情報から取引銀行を判別し、その銀行のホストコンピュータに送信し、返送されたデータに基づいて通帳に印字する方法がある（特許文献５参照）。
【特許文献１】
特開昭６３−４４３５５号公報
【特許文献２】
特開平５−２０４９５４号公報
【特許文献３】
特開平６−２７４５１９号公報
【特許文献４】
特開２００１−１０１４８２号公報
【特許文献５】
特開２００１−１０１４８２号公報
【０００８】
【発明が解決しようとする課題】
しかしながら、上記のＡからＥ方式では、それぞれ以下のような問題点がある。
【０００９】
すなわち、Ａ方式では、磁気ストライプに書き込まれているデータの形式、書き込み信号の形式、書き込み密度、トラック数の異なる複数種類の磁気ヘッドを複数種類設ける必要があり、また、これら全ての種類のどれに一致するかを判別できるまで、順次読み取る必要があり、判別までに相当の時間がかかる。また、Ｂ方式では、最初にＡＴＭの画面上で顧客が複数の銀行の一つを選択する必要があり、顧客の手数が増える。Ｃ方式では、Ａ方式と同じように、複数種類の磁気ストライプのリード／ライトヘッドにより順次読み取って、読み取り可能か否かを判別しなければならないため、判別までに時間がかかるとともに、中継センタを新たに設ける必要がある。また、Ｄ方式では、ＯＣＲにより通帳に印刷されている顧客情報を読み取り、該当銀行のセンタに送信する必要があるので、余分な設備を要する。Ｅ方式では、カードを挿入しなければどの銀行の通帳であるかを判別することができず、カードが不要な取引にもかかわらず、カードを挿入する必要があるため、顧客の手数が増える。
【００１０】
つまり、従来、複数種類の通帳の磁気ストライプを、その通帳に適した方法で正しく読み取るためには、時間がかかったり、余計な操作や設備を必要としたりしていた。
【００１１】
そこで、本発明の目的は、従来の課題を解消し、複数種類の通帳を効率良く処理することのできる複数種類の通帳取扱方法及びＡＴＭを提供することにある。
【００１２】
【課題を解決するための手段】
上記の目的を達成するために本発明は、以下の手段を採用する。
【００１３】
通帳を取り込む挿入口２０１から挿入された通帳の情報を読み取る自動取引装置における、複数種類の通帳の読取方法であって、挿入口２０１から取り込まれた通帳のイメージを取得してそのイメージをメモリ２１０に記憶し、記憶されたイメージから、第１の通帳に対応した処理モードによって、バーコード３０１の認識を試みる。ここで認識できた場合には、通帳が第１の通帳であると特定され、その第１の通帳の処理モードで磁気ストライプ３０２を読む。第１の通帳に対応する処理モードでバーコードが認識できなかった場合には、ソフトウェア上で第２の通帳の処理モードに切り替えて、バーコード５０１の認識を試み、認識できたときには、磁気ストライプ５０２から、第２の通帳の処理モードで磁気情報を読み取る。
【００１４】
【発明の実施の形態】
以下、本発明の一実施形態を、図面により詳細に説明する。本発明は、通帳を取り扱う銀行等の金融機関で使用される現金自動取引装置や通帳記帳機等の通帳を扱う自動取引装置に適用できる。
【００１５】
図４は、自動取引装置が扱う第１の通帳（第１通帳ともいう）の見開ページおよび表裏表紙の構成図である。
【００１６】
３０１は通帳を開いた中紙に記録されたバーコード（ＢＣともいう）である。バーコード３０１は、通帳の種類によって、その位置、長さ、本数、方向（縦方向または横方向）等のパターンが異なる。バーコード３０１には、頁番号、磁気ストライプが複数ある場合読むべきストライプを示す情報等が含まれている。
【００１７】
３０２は裏表紙に印刷された磁気ストライプ（ＭＳともいう）である。磁気ストライプ３０２は、通帳の種類によって、その位置、磁気ストライプに書き込まれている形式、書き込み信号の形式、書き込み密度、トラック数等が異なる。ここで、書き込まれている形式とは、例えば縦方向や横方向のストライプ形式、書き込み信号の形式とは、ＮＲＺ１方式やＦ２Ｆ方式である。磁気ストライプ３０２には、金融機関コード、支店コード、口座番号、科目、最終印字頁と行、取引情報を示す情報等が含まれている。
【００１８】
図５は、自動取引装置が扱う第２の通帳（第２通帳ともいう）の見開ページおよび表裏表紙の構成図である。図４の第１の通帳と比べると、バーコード５０１の位置、方向が異なり、それぞれ右上、縦方向である。また、磁気ストライプ５０２についても、その位置、磁気ストライプに書き込まれている形式、書き込み信号の形式、書き込み密度、トラック数が異なる。
【００１９】
なお、点線で示されたａ×ｂの領域３０３の位置と面積は、図４のそれらと同じであり、ａはバーコード３０１及び５０１の縦の長さ以上の長さ、ｂは、通帳の横手長さ程度の長さとする。
【００２０】
図１は、自動取引装置の内部に備えられる通帳処理機構の断面構造図である。２０１は通帳を取り込む挿入口（通帳を排出する機能も含む）、２０２は繰越し用通帳（例えば第１の通帳）をストックしておく前ホッパ、２０３は通帳処理機構の全体を制御する制御部、２０４は通帳に印字する印字ヘッド、２０５は前ホッパ２０４とは別の種類の繰越し用通帳（例えば第２の通帳）をストックしておく後ホッパ、２０６は通帳を繰越す場合に、新通帳に印字している間、旧通帳を退避させておく退避路、２０７は通帳のバーコード３０１のイメージを取得するバーコードリードヘッド（バーコード取得部ともいう）、２０８は通帳の磁気ストライプ３０２を読み取り書き込む磁気ストライプリード／ライトヘッド（磁気読取部ともいう）、２０９は取り忘れ通帳保管庫、２１０は制御部２０３内のメモリ、２１１は通帳の頁めくりを行うターン頁ユニットである。制御部２０３は、ソフトウェアとしてバーコード認識機能や処理モード順設定機能を含む。
【００２１】
バーコードリードヘッド２０７は、１つで共通してバーコード３０１及び５０１のイメージを取得できることが望ましい。バーコードリードヘッド２０７を移動可能にすることも可能だが、より望ましくは、自動取扱装置が取り扱う通帳に印刷されているバーコード（例えば、バーコード３０１及び５０１）の位置を全て含む領域のイメージを一括して取得することが望ましい。なぜなら、バーコードリードヘッド２０７を移動させると、その分、機構が複雑になると共に、バーコード３０１のイメージを取得するための時間もかかる。バーコードリードヘッド２０７を複数備えることも可能である。取得したイメージは、制御部２０３内のメモリ２１０（イメージ記憶部ともいう）に記憶する。イメージ記憶部に記憶されたイメージは、制御部２０３のバーコード認識機能によって、認識される。
【００２２】
上記した「複数種類の通帳に印刷されているバーコードの位置を全て含む領域」について補足説明する。図４と５では、それぞれ通帳の見開ページの左上と、右上とにバーコード３０１と５０１とが印刷されている。この場合であれば、通帳の見開ページ上部のａ×ｂの領域３０３のイメージを一括して取得することで、両方のバーコードイメージを取得することができ、このａ×ｂの領域３０３を、複数種類の通帳に印刷されているバーコードの位置を全て含む領域とする。
【００２３】
磁気ストライプのリード／ライトヘッド２０８や印字ヘッド２０４についても、同様に、複数種類の通帳に対するヘッドを共用できることが望ましく、それぞれ移動可能で、銀行毎の処理モードにより最適な位置で読み取り又は書き込み（印字）ができる。また、読み取り又は書き込み（印字）に当っては、銀行毎の処理モードで命令形式も異なるため、対応するソフトウェアを制御部２０３で切り替える。
【００２４】
図２は、自動取引装置の処理及び該当銀行のセンタとの間のやりとりを示す処理シーケンスチャートである。以下、図２に基づいて、制御部２０３が実行する複数種類の通帳を判別する方法の概略を説明する。
【００２５】
顧客により通帳が挿入排出口２０１から挿入されると、図示しない搬送手段によって通帳を吸入し（Ｓ４０１）、先ずバーコードリードヘッド２０７により（複数種類の通帳に印刷されているバーコードの位置を全て含む）領域３０３のイメージを取得し、取得したバーコードイメージを制御部２０３内のメモリ２１０に記憶する（Ｓ４０２）。
【００２６】
記憶されたバーコードイメージをＯＣＲ等のバーコード認識機能で認識する（Ｓ４０３）。このとき、バーコード３０１を認識することで、通帳の種類を特定することができる。なぜなら、図４と図５に示したように通帳の種類に応じてバーコードの位置、方向等が異なるため、通帳の種類に応じた処理モード（方式）でバーコードを認識することができれば、その処理モードに対応する通帳の種類であることを特定できるためである。なお、この処理モードは、通帳に対応するバーコード、磁気ストライプ、印字等の種々の取扱処理についての方式が定められているルールであって、各種通帳ごとに存在する。
【００２７】
通帳の種類が特定されると、次に、リード／ライトヘッド２０８をその特定された種類の通帳に対応する処理モードで指定される位置に移動し、その処理モードで磁気ストライプを読み取る（Ｓ４０４）。ここで、バーコードによって通帳の種類を特定した後に、磁気ストライプを読み取ること利点は、磁気ストライプのリード／ライトヘッド２０８を移動する回数を従来に比べて少なくできることにある。特に、上述したような、複数種類の通帳に印刷されているバーコードの位置を全て含む領域のイメージを一括して取得するバーコードリードヘッド２０７を採用している場合には、一旦取得したイメージをソフトウェア上で処理モードを切り替えて認識を試行することでバーコードイメージを認識することでき、バーコードリードヘッド２０７の機械的移動を伴わないので、磁気ストライプリード／ライトヘッド２０８のみならず、バーコードリードライトヘッド２０７を含めた機構の機械的移動の回数を従来よりも少なくすることができ、通帳の処理の効率化、迅速化が図られる。
【００２８】
もしＳ４０３で、バーコードを認識することができず、通帳の種類を特定できなかったときには、Ｓ４０４で磁気ストライプの読み取りを試行する。また、Ｓ４０４において磁気ストライプから、その情報を読み取れなかった場合には、Ｓ４０３の通帳の種類の特定結果にかかわらず、他の種類の通帳に対応する処理モードに順番に切り替えて磁気ストライプの読み取りを試みる。Ｓ４０３とＳ４０４の詳細については、図３で後述する。なお、Ｓ４０４で、処理モードを切り替えても磁気ストライプから情報を読み取れなかったときには、通帳を挿入口２０１から排出する。
【００２９】
磁気ストライプから情報を認識すると、その情報を特定された通帳の種類に対応する銀行のセンタに送信する（Ｓ４０５）。
【００３０】
該当する銀行のセンタのサーバ又はホストコンピュータは、自動取引装置から情報を受信（Ｓ４０６）すると、データベースを検索（Ｓ４０７）して、該当する口座を検出（Ｓ４０８）、その口座の取引残高データ等を呼び出し（Ｓ４０９）、そのデータを内容とするフレームを組み立てて自動取引装置に返信する（Ｓ４１０）。
【００３１】
フレームを受信すると（Ｓ４１２）、そのフレームに基づき、出金、入金、通帳印字などの取引の処理を実行し（Ｓ４１３）、磁気ストライプ３０２にその取引を踏まえた更新情報を書き込み（Ｓ４１４）、通帳を排出する（Ｓ４１５）。なお、通帳の印字スペースが満杯になった場合、旧通帳を通帳退避路２０６に退避させ、前ホッパ２０２または後ホッパ２０５から一冊の通帳を取出し、印字ヘッド２０４で取引情報を印字するとともに、磁気ストライプリード／ライトヘッド２０８により磁気ストライプを書き込んで新規発行する。
【００３２】
図３は、Ｓ４０３及びＳ４０４において、制御部２０３が実行する処理の詳細を示す、複数種類の通帳判別処理のフローチャートである。以下、図３を説明する。
【００３３】
バーコードリードヘッド２０７で取得され、メモリ２１０に記憶されたバーコードイメージを、バーコード認識機能で認識するに当たり、まず、予め設定された、認識するために用いる処理モード（方式）の順番を処理モード順設定機能から取得する（Ｓ１０１）。ここで、処理モードの順番が早い通帳の種類ほど、認識が試行される順番が早く、試行された認識がうまくいけば次の処理に進むため、取引全体にかかる時間が短い。処理モードは任意に設定できるものとするが、利用頻度の高い通帳（一般には、自行で発行部数の多い通帳）の優先順位を高く設定することが、自動取引装置の取引時間を短縮し、効率を高める点で望ましい。
【００３４】
処理モードの優先順位が第１の通帳、第２の通帳、・・・の順であったとすると、最初に第１の通帳に対応する処理モード（第１処理モード）を制御部２０３に設定し、メモリ２１０に記憶されたイメージのうち、バーコードイメージ３０１が印刷されているであろう領域の認識を試みる（Ｓ１０２）。バーコードの長さ、本数、方向等の第１の通帳の条件と一致した場合に認識が可能となり、第１の通帳であることが特定される。
【００３５】
この条件について、補足説明する。ソフトウェアにより、バーコードの長さ、本数、バーコードの方向が自行のパターンに一致するか否かを判定し、一致すれば、Ａ銀行の通帳であると判別する。図４の３０１に示すバーコードを解析する場合、通帳左端から最初に検出される位置（バーコードの左端）とバーコードが検出されなくなる位置（バーコードの右端）により、バーコードの長さを判別するとともに、バーコードに沿って走査できることにより、横方向（または縦方向）のバーコードであることを判別し、またバーコードに垂直方向に走査してバーコードの数をカウントすることにより、本数を判別する。
【００３６】
バーコードイメージから情報を認識でき（Ｓ１０３でＹｅｓ）、第１の通帳であると特定すると、第１の通帳に対応する処理モードによって、磁気ストライプリード／ライトヘッド２０８を磁気ストライプ３０２を読み取ることのできる位置に移動し、磁気ストライプ３０２の読み取りを試行する（Ｓ１０４）。ここで上述したように通帳の磁気ストライプは、通帳の種類によって、その位置の他、磁気ストライプに書き込まれている形式、書き込み信号の形式、書き込み密度、トラック数等が異なるので、処理モードによってこれらも第１の通帳に合わせて切り替えられている。
【００３７】
Ｓ１０４で磁気ストライプ３０２を読み取ることができた場合（Ｓ１０５でＹｅｓ）には、以降第１通帳として処理を継続する。磁気ストライプ３０２を読んだ結果、印字すべき頁番号と、開いている通帳の頁のバーコード３０１に示されている頁番号とが異なる場合には、磁気ストライプ３０２によって指定された頁番号に頁めくりするため、通帳は図示しない搬送手段によりターン頁ユニット２１１に送る。
【００３８】
第１の通帳とバーコード３０１の条件が一致せず、その情報を認識できなかった場合（Ｓ１０３でＮｏ）、Ｓ１０１で取得した順番に従い、第２の種類に対応する処理モード（第２処理モード）に切り替えて設定する（Ｓ１０６）。
【００３９】
そして、Ｓ１０２と同様に、メモリ２１０に記憶されたイメージから、バーコード５０１が印刷されているであろう領域の認識を試みる（Ｓ１０７）。
【００４０】
Ｓ１０７でバーコード５０１の認識ができた場合（Ｓ１０８でＹｅｓ）、又は、Ｓ１０４でバーコード３０２の読み取りが不可だった場合（Ｓ１０５でＮｏ）には、Ｓ１０４と同様に、第２の通帳に対応する処理モードによって、磁気ストライプリード／ライトヘッド２０８を磁気ストライプ５０２を読み取ることのできる位置に移動し、磁気ストライプ５０２の読み取りを試行する（Ｓ１０８）。
【００４１】
Ｓ１０９以降も、Ｓ１０２からＳ１０８と同様に、処理モード順設定機能で予め設定されている処理モードの切り替え順が終了するまで、バーコードイメージの認識又は磁気ストライプの読み取りを試みる。もし、全ての処理モードに通帳が該当しない場合には、リジェクトして排出口２０１から通帳を排出する。
【００４２】
図６は、図３の変形例を示し、図３と共通する符号については同じ働きをする。以下、この変形例を説明する。
【００４３】
上述した実施例では、まずバーコード３０１の認識を試みた後に、磁気ストライプ３０２を読み取っていた。一方、変形例では、図６に示すように、まず第１の通帳の処理モードを設定し、バーコード３０１の認識と磁気ストライプ３０２の読み取りの両方を試みる（Ｓ６０１）。なぜなら、第１の通帳（最も利用頻度が高い通帳であることが望ましい）であれば、バーコード３０１の認識と磁気ストライプ３０２の読み取りをほぼ同じタイミングで実行することができ、次の処理にすぐに進むことができるからである。つまり、この方法によれば、第１の通帳についての取引が、上述の実施例におけるそれよりも更に早くなる。
【００４４】
また、第１の通帳の処理モードでは、磁気ストライプ３０２の認識が不可であったとき（Ｓ１０５）には、取得してメモリ２１０に記憶したバーコードイメージについて図３のＳ１０６以降のステップを実行する。このように、変形例によれば、上述した実施例に比べ、機械的動作が増える可能性はあるものの従来よりも少なく、且つ自動取引装置における複数種類の通帳処理の更なる迅速化が図られる。
【００４５】
以上のように、本発明では、通帳のバーコードイメージを認識して通帳の種類を特定することで、磁気ストライプリード／ライトヘッド２０８を機械的に移動する回数を従来と比べ抑えている。すなわち、バーコード３０１の認識は、その認識のために最初に試みた処理モードが正しくなかったとしても、バーコードリーダ２０７でバーコードイメージを一度取得してしまっているので、後はメモリ２１０に記憶したバーコードイメージをバーコード認識機能をもつソフトウェア上で認識処理を複数の処理モードを切り替えて実行すればよく、機械的な動作が従来と比べ少なくて済む。特に、複数種類の通帳に印刷されているバーコードの位置を全て含む領域のイメージを一括して取得しておくことで、機械的動作の回数が更に少なくなり、自動取引装置における通帳の処理効率が向上する。
【００４６】
なお、本発明は、以上の一実施形態に限られるものではなく、他にも種々の形態に適用可能であることはいうまでもない。
【００４７】
【発明の効果】
種々の通帳を、短時間で処理できる。
【図面の簡単な説明】
【図１】本発明が適用される通帳印字機構の断面構造図である。
【図２】本発明の一実施例を示す自動取引装置と該当銀行のセンタとの間のやりとりの動作シーケンスチャートである。
【図３】本発明の一実施例を示す複数種類の通帳判別方法の動作フローチャートである。
【図４】本発明が適用される第１通帳の見開ページに記録されたバーコードおよび裏表紙に記録された磁気ストライプのパターン図である。
【図５】本発明が適用される第２通帳の見開ページに記録されたバーコードおよび裏表紙に記録された磁気ストライプのパターン図である。
【図６】本発明の変形例を示す複数種類の通帳判別方法の動作フローチャートである。
【符号の説明】
２０１…挿入口、２０２…前ホッパ、２０３…制御部、２０４…印字ヘッド、２０５…後ホッパ、２０６…退避路、２０７…バーコードリードヘッド、２０８…磁気ストライプリード／ライトヘッド、２０９…取忘れ通帳保管庫、２１０…制御部内メモリ、３０１…バーコード、３０２…磁気ストライプ、２１１…ターン頁ユニット
【図１】
0003861043.tif 000002
【図２】
0003861043.tif 000003
【図３】
0003861043.tif 000004
【図４】
0003861043.tif 000005
【図５】
0003861043.tif 000006
【図６】
0003861043.tif 000007